【手続補正書】
【提出日】平成26年11月26日(2014.11.26)
【手続補正１】
【補正対象書類名】特許請求の範囲
【補正対象項目名】請求項２
【補正方法】変更
【補正の内容】
【請求項２】
前記ソース線は、当該ソース線が画像信号を供給する前記第１サブ画素と前記第２サブ画素との間に延在し、
前記第１ゲート線および前記第２ゲート線は、それぞれ前記ソース線と交差する方向に延在し、当該第１ゲート線が駆動する前記第１サブ画素と当該第２ゲート線が駆動する前記第２サブ画素とを挟むように配設される
請求項１記載の２画面表示装置。
【手続補正２】
【補正対象書類名】特許請求の範囲
【補正対象項目名】請求項４
【補正方法】変更
【補正の内容】
【請求項４】
前記第１サブ画素および前記第２サブ画素のそれぞれは、赤、緑、青のいずれかの色を発し、
前記表示領域において、前記第１サブ画素および前記第２サブ画素のそれぞれが発する色は、前記ゲート線の延在方向に規則的に配列されており、且つ、同一の前記ソース線から画像信号を受ける前記第１サブ画素および前記第２サブ画素は同じ色の光を発する
請求項１または請求項２記載の２画面表示装置。
【手続補正３】
【補正対象書類名】特許請求の範囲
【補正対象項目名】請求項５
【補正方法】変更
【補正の内容】
【請求項５】
前記表示領域において、
前記視差バリアの前記開口が、同一のソース線から画像信号を受ける前記第１サブ画素と前記第２サブ画素との間の領域上に配設される行と、
前記視差バリアの前記開口が、互いに異なるソース線から画像信号を受ける前記第１サブ画素と前記第２サブ画素との間の領域上に配設される行とが、交互に配設されている
請求項１から請求項４のいずれか一項記載の２画面表示装置。
【手続補正４】
【補正対象書類名】特許請求の範囲
【補正対象項目名】請求項６
【補正方法】変更
【補正の内容】
【請求項６】
前記視差バリアにおける前記表示領域上の全ての前記開口は、同一のソース線から画像信号を受ける前記第１サブ画素と前記第２サブ画素との間の領域上に配設される
請求項１から請求項４のいずれか一項記載の２画面表示装置。
【手続補正５】
【補正対象書類名】特許請求の範囲
【補正対象項目名】請求項７
【補正方法】変更
【補正の内容】
【請求項７】
前記ソース線に供給される前記画像信号の極性が、前記ゲート線ごとに反転し、且つ、隣の前記ソース線の画像信号線とは逆極性になる
請求項５記載の２画面表示装置。
【手続補正６】
【補正対象書類名】特許請求の範囲
【補正対象項目名】請求項８
【補正方法】変更
【補正の内容】
【請求項８】
前記ソース線に供給される前記画像信号の極性が、一組の前記第１ゲート線および前記第２ゲート線ごとに反転し、且つ、隣の前記ソース線の画像信号線とは逆極性になる
請求項５記載の２画面表示装置。
【手続補正７】
【補正対象書類名】特許請求の範囲
【補正対象項目名】請求項１６
【補正方法】変更
【補正の内容】
【請求項１６】
前記ソース線は、当該ソース線が画像信号を供給する前記第１サブ画素と前記第２サブ画素との間に延在し、
前記第１ゲート線および前記第２ゲート線は、それぞれ前記ソース線と交差する方向に延在し、当該第１ゲート線が駆動する前記第１サブ画素と当該第２ゲート線が駆動する前記第２サブ画素とを挟むように配設される
請求項１５記載の２画面表示装置。
【手続補正８】
【補正対象書類名】特許請求の範囲
【補正対象項目名】請求項１８
【補正方法】変更
【補正の内容】
【請求項１８】
前記表示領域において、
前記視差バリアの前記開口が、同一のソース線から画像信号を受ける前記第１サブ画素と前記第２サブ画素との間の領域上に配設される行と、
前記視差バリアの前記開口が、互いに異なるソース線から画像信号を受ける前記第１サブ画素と前記第２サブ画素との間の領域上に配設される行とが、交互に配設されている
請求項１５から請求項１７のいずれか一項記載の２画面表示装置。
【手続補正９】
【補正対象書類名】特許請求の範囲
【補正対象項目名】請求項１９
【補正方法】変更
【補正の内容】
【請求項１９】
前記ソース線に供給される前記画像信号の極性が、前記ゲート線ごとに反転し、且つ、隣の前記ソース線の画像信号線とは逆極性になる
請求項１８記載の２画面表示装置。
【手続補正１０】
【補正対象書類名】特許請求の範囲
【補正対象項目名】請求項２０
【補正方法】変更
【補正の内容】
【請求項２０】
前記ソース線に供給される前記画像信号の極性が、一組の前記第１ゲート線および前記第２ゲート線ごとに反転し、且つ、隣の前記ソース線の画像信号線とは逆極性になる
請求項１８記載の２画面表示装置。
【手続補正１１】
【補正対象書類名】明細書
【補正対象項目名】００４３
【補正方法】変更
【補正の内容】
【００４３】
このように、ソース線ＳＬが、サブ画素の２列おきに第１サブ画素と第２サブ画素の間に配置され、且つ、開口１４ａが千鳥状に配設されるので、表示領域上には、図２に示すように、開口１４ａがソース線ＳＬ上に配設される行と、開口１４ａ上に配設されない行とが交互に並ぶことになる。つまり、サブ画素のある行では、同一のソース線ＳＬから画像信号を受ける第１サブ画素と第２サブ画素との間の領域上に開口１４ａが配設されるが、その隣の行では、互いに異なるソース線ＳＬから画像信号を受ける第１サブ画素と第２サブ画素との間の領域上に開口１４ａが配設される。
【手続補正１２】
【補正対象書類名】明細書
【補正対象項目名】００４４
【補正方法】変更
【補正の内容】
【００４４】
ゲート線ＧＬは、ＴＦＴ２５のゲート電極に駆動信号を供給することで各サブ画素を駆動する。各ゲート線ＧＬは、横方向（すなわちゲート線ＧＬと交差する方向）に延在し、各サブ画素行の間に配設される。本実施の形態では、各サブ画素行は、第１サブ画素を駆動するためのゲート線ＧＬ（第１ゲート線）と、第２サブ画素を駆動するためのゲート線ＧＬ（第２ゲート線）の２本によって駆動される。図２においては、奇数番目のゲート線ＧＬは、各ソース線ＳＬの左側に配置されたサブ画素に接続したＴＦＴ２５のゲート電極に接続されており、偶数番目のゲート線ＧＬは、各ソース線ＳＬの右側に配置されたサブ画素に接続したＴＦＴ２５のゲート電極に接続されている（図２においてｊは奇数）。つまり、サブ画素の１行につき２本ずつのゲート線ＧＬが設けられる。よってゲート線ＧＬの数は従来の２画面表示装置の場合の２倍となる。
【手続補正１３】
【補正対象書類名】明細書
【補正対象項目名】００５２
【補正方法】変更
【補正の内容】
【００５２】
実施の形態１では、第１サブ画素および第２サブ画素のそれぞれが発する色を、横方向に、１つのサブ画素ごとに変わるように配列させたが、本実施の形態では、２つのサブ画素ごとに規則的に変わるように配列させている。具体的には、同一のソース線ＳＬから画像信号を受ける第１サブ画素および第２サブ画素を同じ色にしている。その他の構成は、実施の形態１と同様である。
【手続補正１４】
【補正対象書類名】明細書
【補正対象項目名】００５８
【補正方法】変更
【補正の内容】
【００５８】
実施の形態３では、視差バリア１４の開口１４ａを、千鳥状でなく、行列状に配設している。具体的には、表示領域上の全ての開口１４ａを、ソース線ＳＬ上に設けている。すなわち、全ての開口１４ａは、同一のソース線ＳＬから画像信号を受ける第１サブ画素と第２サブ画素との間の領域上に配設される。
【手続補正１５】
【補正対象書類名】明細書
【補正対象項目名】００６２
【補正方法】変更
【補正の内容】
【００６２】
まず、それに先立って、従来の２画面表示装置の駆動に関しての問題を説明する。一般に、液晶表示装置では、液晶を交流で駆動させることに起因するフリッカ（画像のちらつき）の発生を抑制する目的で、ドット反転駆動やその派生系による液晶の駆動方法が採用されることが多い。ドット反転駆動方式は、ソース線に供給する画像信号の極性をゲート線ごとに反転させ、且つ、隣り合うソース線の画像信号を互いに逆極性にするものである。
【手続補正１６】
【補正対象書類名】明細書
【補正対象項目名】００６７
【補正方法】変更
【補正の内容】
【００６７】
図１４と同じ構成の２画面表示装置で、フリッカの発生を抑える方法として「１×２駆動方式」と呼ばれるものがある。１×２駆動方式では、ソース線に供給する画像信号の極性をゲート線の２本ごとに反転させ、且つ、隣り合うソース線の画像信号を互いに逆極性にするものである。
【手続補正１７】
【補正対象書類名】明細書
【補正対象項目名】００７２
【補正方法】変更
【補正の内容】
【００７２】
図６は、図２に示した２画面表示装置をドット反転駆動させた場合における、各サブ画素に供給される画像信号の極性を示す図である。図２の２画面表示装置では、１本のソース線ＳＬが２列のサブ画素に画像信号を供給し、各サブ画素行は２本のゲート線ＧＬにより駆動される（第１サブ画素と第２サブ画素とが異なるゲート線ＧＬで駆動される）。そのため、図１４の場合と同様に、ソース線ＳＬに供給する画像信号の極性をゲート線ＧＬごとに反転させ、且つ、隣り合うソース線ＳＬの画像信号を互いに逆極性にすると、図６のように、各行のサブ画素の極性は、横方向に＋、＋、−、−、＋、＋、…と変化する。
【手続補正１８】
【補正対象書類名】明細書
【補正対象項目名】００７４
【補正方法】変更
【補正の内容】
【００７４】
また、図７は、図２に示した２画面表示装置を１×２駆動させた場合における、各サブ画素に供給される画像信号の極性を示す図である。図２の２画面表示装置に対し、図１５の場合と同様に、ソース線ＳＬに供給する画像信号の極性を２本のゲート線ＧＬごとに（一組の第１ゲート線および第２ゲート線ごとに）反転させ、且つ、隣り合うソース線ＳＬの画像信号を互いに逆極性にすると、図７のように、この場合も各行のサブ画素の極性は、横方向に＋、＋、−、−、＋、＋、…と変化する。
【手続補正１９】
【補正対象書類名】明細書
【補正対象項目名】０１００
【補正方法】変更
【補正の内容】
【０１００】
このように、ソース線ＳＬが、サブ画素の２列おきに第１サブ画素と第２サブ画素の間に配置され、且つ、開口１４ａが千鳥状に配設されるので、図１１に示すように、開口１４ａがソース線ＳＬ上に配設される行と、開口１４ａ上に配設されない行とが交互に配設されることになる。つまり、サブ画素のある行では、開口１４ａが同一のソース線ＳＬから画像信号を受ける第１サブ画素と第２サブ画素との間の領域上に配設されるが、その隣の行では、開口１４ａが、互いに異なるソース線ＳＬから画像信号を受ける第１サブ画素と第２サブ画素との間の領域上に配設される。
【手続補正２０】
【補正対象書類名】明細書
【補正対象項目名】０１０１
【補正方法】変更
【補正の内容】
【０１０１】
一方、各ゲート線ＧＬは、横方向に延在し、各サブ画素行の間に配設される。本実施の形態では、各サブ画素行に対して、第１サブ画素を駆動するためのゲート線ＧＬ（第１ゲート線）と、第２サブ画素を駆動するためのゲート線ＧＬ（第２ゲート線）の２本が設けられる。図１１においては、奇数番目のゲート線ＧＬは、各ソース線ＳＬの左側に配置されたサブ画素に接続したＴＦＴ２５のゲート電極に接続されており、偶数番目のゲート線ＧＬは、各ソース線ＳＬの右側に配置されたサブ画素に接続したＴＦＴ２５のゲート電極に接続されている（図１１においてｊは奇数）。
【手続補正２１】
【補正対象書類名】明細書
【補正対象項目名】０１０７
【補正方法】変更
【補正の内容】
【０１０７】
図１２は、図１１に示した２画面表示装置をドット反転駆動させた場合における、各サブ画素に供給される画像信号の極性を示す図である。図１１の２画面表示装置では、１本のソース線ＳＬが２列のサブ画素に画像信号を供給し、各サブ画素行は２本のゲート線ＧＬにより駆動される（第１サブ画素と第２サブ画素とが異なるゲート線ＧＬで駆動される）。そのため、図１４の場合と同様に、ソース線ＳＬに供給する画像信号の極性をゲート線ＧＬごとに反転させ、且つ、隣り合うソース線ＳＬの画像信号を互いに逆極性にすると、図６のように、各行のサブ画素の極性は、横方向に＋、＋、−、−、＋、＋、…と変化する。
【手続補正２２】
【補正対象書類名】明細書
【補正対象項目名】０１０９
【補正方法】変更
【補正の内容】
【０１０９】
また、図１３は、図１１に示した２画面表示装置を１×２駆動させた場合における、各サブ画素に供給される画像信号の極性を示す図である。すなわち、ソース線ＳＬに供給する画像信号の極性を２本のゲート線ＧＬごとに（一組の第１ゲート線および第２ゲート線ごとに）反転させ、且つ、隣り合うソース線ＳＬの画像信号を互いに逆極性にする。図７のように、この場合も、各行のサブ画素の極性は、横方向に＋、＋、−、−、＋、＋、…と変化する。
【手続補正２３】
【補正対象書類名】図面
【補正対象項目名】図１１
【補正方法】変更
【補正の内容】
【図１１】
2013125115.tif 000001
【手続補正２４】
【補正対象書類名】図面
【補正対象項目名】図１２
【補正方法】変更
【補正の内容】
【図１２】
2013125115.tif 000002
【手続補正２５】
【補正対象書類名】図面
【補正対象項目名】図１３
【補正方法】変更
【補正の内容】
【図１３】
2013125115.tif 000003